(57)【要約】【課題】曲げ折れを防止して小さな曲率半径で水栓ボックスから樹脂管を引き出す。【解決手段】前半部にさや管へのガイド部２１を、後半部に樹脂管の内径に対応する外径の挿入部２２をそれぞれ有するとともに、ガイド部２１と挿入部２２との間に該ガイド部２１および挿入部２２の外径よりも小径の段差部２３が形成された軟質プラスチック製の棒材２と、該棒材２の段差部２３に装着され、樹脂管Ｐの外径よりも大きな内径およびさや管の内径よりも小さな外径の胴部３１および該胴部３１の後端縁に、内周側端縁が樹脂管の外径よりも小径の円周上に位置するように内方に向かって連設された折返片３３を有する半割り状の金属板製のキャップ３とから取出用治具１が構成される。そして、樹脂管Ｐが棒材２の挿入部２２に挿入されるとともに、キャップ３の折返片３３を押し開いてキャップ３内に挿入された際に、樹脂管が折返片３３の内周側端縁によって係留される。【選択図】図２
2007278471.tif 000002
【特許請求の範囲】
【請求項１】
前半部にさや管へのガイド部を、後半部に樹脂管の内径に対応する外径の挿入部をそれぞれ有するとともに、ガイド部と挿入部との間に該ガイド部および挿入部の外径よりも小径の段差部が形成された軟質プラスチック製の棒材と、該棒材の段差部に装着され、樹脂管の外径よりも大きな内径およびさや管の内径よりも小さな外径の胴部および該胴部の後端縁に、内周側端縁が樹脂管の外径よりも小径の円周上に位置するように内方に向かって傾斜して連設された折返片を有する半割り状の金属板製のキャップとからなり、樹脂管が棒材の挿入部に挿入されるとともに、キャップの折返片を押し開いてキャップ内に挿入された際に、樹脂管が折返片の内周側端縁によって係留されることを特徴とする樹脂管の取出用治具。
【発明の詳細な説明】
【技術分野】
【０００１】
この発明は、架橋ポリエチレン管などの樹脂管を水栓ボックスなどから引き出すときに使用される取出用治具に関するものである。
【背景技術】
【０００２】
従来より、給水給湯配管システムとして、床下などにさや管を敷設し、このさや管内に給水給湯配管、例えば、架橋ポリエチレン管などの樹脂管を挿通するさや管方式が知られている。このようなさや管方式における水栓の設置構造としては、例えば、間仕切り壁のような二重壁の場合は、壁に穴を開け、壁の裏面側において、水栓ボックスにさや管を接続した後、水栓ボックスの前面開口を前述した壁に形成した穴に位置合わせして水栓ボックスを壁の裏面に固定し、次いで、樹脂管を水栓ボックスに向けてさや管に挿通し、水栓ボックスの前面開口から引き出された樹脂管の先端に水栓接続用エルボ継手を接続し、このエルボ継手を水栓ボックス内に収容してロックリングで固定するようにしている（例えば、特許文献１，２参照）。
【０００３】
このようなさや管方式の給水給湯配管システムにおいて、樹脂管をさや管に挿通して水栓ボックスの前面開口から引き出す際には、図５に示す樹脂管ガイド１０が用いられている。すなわち、樹脂管ガイド１０は、先端に球状部１１１を形成した樹脂製の棒１１の基端部に金属ねじ１２を一体に設けて構成され、樹脂管ガイド１０の金属ねじ１２を樹脂管Ｐの先端側内周面に強制的にねじ込んで連結した後、樹脂管ガイド１０の棒１１を球状部１１１からさや管Ｓ内に挿通し、樹脂管Ｐを水栓ボックスＢに向けて押し込むことにより、水栓ボックスＢの前面開口ｂより樹脂管ガイド１０を介して樹脂管Ｐを引き出すようにしている。
【特許文献１】特開２００３−４１６３６号公報
【特許文献２】特開平９−２６０６８号公報
【発明の開示】
【発明が解決しようとする課題】
【０００４】
ところで、樹脂管は曲げ折れ（座屈）が発生しやすく、小さな曲率半径に曲げることができない。このため、樹脂管ガイドを用いて樹脂管を水栓ボックスから引き出す際において、曲げ折れが発生しない程度の曲率半径を維持して樹脂管を引き出す必要がある。しかしながら、曲げ折れが発生しない程度の曲率半径を維持して樹脂管を引き出すことにより、水栓ボックスの内方角部と樹脂管が干渉し、樹脂管の表面に傷付きを発生させることがある。樹脂管に傷付きが発生すると、その傷によって漏水するおそれがあることから、金属ねじをねじ込むことによって傷付いた内周面部分とともに、切断除去する必要があり、作業が煩雑になるという欠点があった。
【０００５】
本発明は、このような問題点に鑑みてなされたもので、曲げ折れを防止して小さな曲率半径で水栓ボックスから樹脂管を引き出すことのできる樹脂管の引出用治具を提供するものである。
【課題を解決するための手段】
【０００６】
本発明は、前半部にさや管へのガイド部を、後半部に樹脂管の内径に対応する外径の挿入部をそれぞれ有するとともに、ガイド部と挿入部との間に該ガイド部および挿入部の外径よりも小径の段差部が形成された軟質プラスチック製の棒材と、該棒材の段差部に装着され、樹脂管の外径よりも大きな内径およびさや管の内径よりも小さな外径の胴部および該胴部の後端縁に、内周側端縁が樹脂管の外径よりも小径の円周上に位置するように内方に向かって傾斜して連設された折返片を有する半割り状の金属板製のキャップとからなり、樹脂管が棒材の挿入部に挿入されるとともに、キャップの折返片を押し開いてキャップ内に挿入された際に、樹脂管が折返片の内周側端縁によって係留されることを特徴とするものである。
【０００７】
本発明によれば、半割り状のキャップを押し広げて拡径し、キャップを棒材に装着した後、樹脂管を棒材の挿入部に挿入するとともに、キャップの折返片を弾性変形させてキャップの内方まで挿入する。このとき、弾性変形した折返片の復元力が樹脂管に作用し、樹脂管の引き抜きが防止される。次いで、ガイド部をさや管に挿通し、樹脂管を水栓ボックスに向けて押し込むことにより、ガイド部の先端が水栓ボックスの前面開口を臨む位置まで押し込まれたならば、その前面開口を通してガイド部の先端部分を把握し、引き出す。この際、樹脂管の先端部には、軟質プラスチック製の挿入部が挿入されて、樹脂管の曲げ折れが確実に防止されており、樹脂管のみでは曲げることのできない小さな曲率半径まで屈曲することができる。
【０００８】
この結果、水栓ボックスの内方角部と樹脂管の外周面との間に一定の隙間を確保するような小さな曲率半径に曲げることができ、樹脂管の外周面に傷が付くことを防止することができる。また、樹脂管を取出用治具に挿入するだけの簡単な操作によって、樹脂管を取出用治具に抜け出しを防止して係留することができる。
【発明の効果】
【０００９】
本発明によれば、曲げ折れを防止して小さな曲率半径で水栓ボックスから樹脂管を引き出すことができる。
【発明を実施するための最良の形態】
【００１０】
以下、本発明の実施の形態を図面に基づいて説明する。
【００１１】
図１には、本発明の樹脂管Ｐの取出用治具１の一実施形態が示されている。
【００１２】
この取出用治具１は、軟質プラスチック、例えば、低密度ポリエチレンからなる棒材２と、棒材２に装着された金属板製のキャップ３とから構成されている。
【００１３】
棒材２は、基端部がさや管Ｓの内径よりも小径で先端部に向かって先細りとなるように外径が漸減するガイド部２１を前半部に、樹脂管Ｐの内径よりも若干小さな外径の挿入部２２を後半部にそれぞれ有するとともに、ガイド部２１と挿入部２２との間にガイド部２１の基端部の外径および挿入部２２の外径よりも小径の段差部２３を有して形成されており、ガイド部２１の先端部は丸められている。
【００１４】
一方、キャップ３は、樹脂管Ｐの外径よりも大径の内径およびさや管Ｓの内径よりも小径の胴部３１と、ガイド部２１の基端部の外径および挿入部２２の外径よりも小径で、かつ、段差部２３の外径よりも大径の円周上に内周側端縁が位置するように胴部３１の前端縁に直交して連設された係止片３２と、樹脂管Ｐの外径よりも小径の円周上に内周側端縁が位置するように胴部３１の後端縁に内方に向かって設定角度傾斜して連設された折返片３３と、からなり、全体が前端から後端にかけて軸方向に沿って切断３ａされて半割り状に形成されている。
【００１５】
したがって、キャップ３の胴部３１を挿入部２２に対向するように配置するとともに、係止片３２を段差部２３に対向するように配置し、切断部３ａを押し広げて拡径し、胴部３１を挿入部２２に、係止片３２を段差部２３にそれぞれ嵌め込むことにより、キャップ３を棒材２に装着することができる。この際、係止片３２が段差部２３に配置されてガイド部２１の基端部端面および挿入部２２の先端部端面にそれぞれ干渉し、キャップ３が棒材２から脱落することが阻止される。逆に、切断部３ａを押し広げて拡径することにより、キャップ３を棒材２から離脱させて取り出すことができる。
【００１６】
具体的には、家庭用給水給湯用配管である架橋ポリエチレン管（樹脂管）Ｐ（内径１３ｍｍ）およびそのさや管Ｓ（内径２２ｍｍ）に対応して、棒材２のガイド部２１の基端部が外径１０ｍｍ、先端部が外径５ｍｍに設定されるとともに、挿入部２２が外径１２．５ｍｍ、長さ１８０ｍｍに設定され、また、段差部２３が外径６ｍｍに設定されている。一方、キャップ３の胴部３１が外径２０ｍｍ、長さ２０ｍｍに設定されるとともに、係止片３２の内周側端縁の径が１０ｍｍよりも小さく、６ｍｍよりも大きく設定され、折返片３３の内周側端縁の径が樹脂管Ｐの外径よりもわずかに小さな１６．５ｍｍに設定されている。
【００１７】
このように構成された取出用治具１を用いて樹脂管Ｐを水栓ボックスＢの前面開口ｂから引き出すときには、まず、キャップ３を棒材２に装着した後、棒材２の挿入部２２に樹脂管Ｐの先端部を挿入する。樹脂管Ｐの挿入を継続すれば、キャップ３の折返片３３が樹脂管Ｐに押されて内方に向けて弾性変形し、胴部３１の内方への樹脂管Ｐの挿入が許容される。このとき、弾性変形した折返片３３の復元力が樹脂管Ｐに作用することから、折返片３３の内周側端縁が樹脂管Ｐの外周面を押圧し、樹脂管Ｐは、折返片３３の内周側端縁に係止され、引き抜きが防止される。
【００１８】
このように、樹脂管Ｐを取出用治具１における棒材２の挿入部２２に挿入するだけの簡単な操作により、抜け出しを防止して樹脂管Ｐを取出用治具１に係留することができる。
【００１９】
取出用治具１に樹脂管Ｐを係留したならば、ガイド部２１をその先端部からさや管Ｓに挿通し、樹脂管Ｐを水栓ボックスＢに向けて押し込む。取出用治具１のガイド部２１の先端が水栓ボックスＢの前面開口ｂを臨む位置まで押し込まれたならば、その前面開口ｂを通してガイド部２１の先端部分を把握し、取出用治具１を押し戻すようにして、内方角部との接触を防止する小さな曲率半径を維持しつつ引き出せばよい。すなわち、樹脂管Ｐの先端部には、軟質プラスチック製の挿入部２２が挿入されて、樹脂管Ｐの曲げ折れが挿入部２２によって確実に防止されており、樹脂管Ｐのみでは曲げることのできない小さな曲率半径まで屈曲することができる。この結果、水栓ボックスＢの内方角部と樹脂管Ｐの外周面との間に一定の隙間を確保するような小さな曲率半径に曲げることができ、樹脂管Ｐの外周面に傷が付くことを防止することができる。
【００２０】
水栓ボックスＢの前面開口ｂから設定長さだけ樹脂管Ｐを引き出したならば、キャップ３の切断部３ａを押し開いて棒材２からキャップ３を離脱させるとともに、樹脂管Ｐから棒材２の挿入部２２を引き出した後、樹脂管Ｐの先端部を切断除去し、詳細には図示しないが、樹脂管Ｐの先端に水栓接続用エルボ継手を接続し、このエルボ継手を水栓ボックスＢ内に収容してロックリングで固定すればよい。
【産業上の利用可能性】
【００２１】
以上のように本発明によれば、工具を用いることなく樹脂管を取出用治具に簡単に係留することができるとともに、曲げ折れを防止して小さな曲率半径で水栓ボックスから樹脂管を引き出すことができることから、作業効率を改善することができると同時に、樹脂管の傷付きによる漏水を防止することができる。
【図面の簡単な説明】
【００２２】
【図１】本発明の取出用治具の一実施形態を示す半断面図、そのＡ部の拡大半断面図である。
【図２】図１の取出用治具に樹脂管を係留した状態を示す半断面図、そのＢ部の拡大半断面図である。
【図３】樹脂管を係留した取出用治具をさや管に挿通する状態を説明する施工図である。
【図４】樹脂管を係留した取出用治具を水栓ボックスの前面開口を通して引き出す状態を説明する施工図である。
【図５】従来の樹脂管ガイドを利用して樹脂管を水栓ボックスの前面開口を通して引き出す状態を説明する施工図である。
【符号の説明】
【００２３】
１  取り出し用治具
２  棒材
２１  ガイド部
２２  挿入部
２３  段差部
３  キャップ
３１  胴部
３２  係止片
３３  折返片
Ｐ  樹脂管
Ｓ  さや管
Ｂ  水栓ボックス
ｂ  前面開口
【図１】
2007278471.tif 000003
【図２】
2007278471.tif 000004
【図３】
2007278471.tif 000005
【図４】
2007278471.tif 000006
【図５】
2007278471.tif 000007